(57)【要約】【課題】メタ情報により複数のコンテンツを関連づけてコンテンツの共有を管理することができるコンテンツ管理装置を提供する。【解決手段】ネットワークを介して接続されたクライアントＰＣ１３０または撮像装置１４０が送信したコンテンツを受信する受信部１０３と、前記受信部１０３が受信した前記コンテンツから前記コンテンツに関連する情報であるメタ情報を取得するメタ情報取得部１０４と、前記受信部１０３が受信した前記コンテンツと、前記メタ情報取得部１０４が取得した前記メタ情報とを対応付けて記憶するコンテンツ記憶部１１１と、前記コンテンツ記憶部１１１から、前記メタ情報を検索キーとして前記コンテンツを検索する検索部１０５と、前記検索部１０５が検索した前記コンテンツを前記クライアント装置に配信する配信部１０６と、を備えた。【選択図】        図１
2006252143.tif 000002
【特許請求の範囲】
【請求項１】
ネットワークを介して接続されたクライアント装置または撮像装置が送信したコンテンツを受信する受信手段と、
前記受信手段が受信した前記コンテンツから前記コンテンツに関連する情報であるメタ情報を取得するメタ情報取得手段と、
前記受信手段が受信した前記コンテンツと、前記メタ情報取得手段が取得した前記メタ情報とを対応付けて記憶するコンテンツ記憶手段と、
前記コンテンツ記憶手段から、前記メタ情報を検索キーとして前記コンテンツを検索する検索手段と、
前記検索手段が検索した前記コンテンツを前記クライアント装置に配信する配信手段と、
を備えたことを特徴とするコンテンツ管理装置。
【請求項２】
前記メタ情報取得手段は、前記コンテンツを撮影した地点の位置情報を前記メタ情報として取得することを特徴とする請求項１に記載のコンテンツ管理装置。
【請求項３】
前記メタ情報取得手段は、前記コンテンツを撮影した地点の位置情報と、前記コンテンツを撮影した方向とを前記メタ情報として取得することを特徴とする請求項１に記載のコンテンツ管理装置。
【請求項４】
前記メタ情報取得手段は、前記コンテンツを撮影した地点の位置情報と、前記コンテンツを撮影した方向と、前記コンテンツを撮影した地点から撮影対象までの距離とを前記メタ情報として取得することを特徴とする請求項１に記載のコンテンツ管理装置。
【請求項５】
前記メタ情報取得手段は、前記コンテンツを撮影した地点の位置情報として、前記コンテンツを撮影した地点の緯度および経度を取得することを特徴とする請求項２〜４のいずれか１つに記載のコンテンツ管理装置。
【請求項６】
前記コンテンツは撮像画像であることを特徴とする請求項１〜５のいずれか１つに記載のコンテンツ管理装置。
【請求項７】
位置情報を記憶する位置情報記憶手段と、
前記位置情報記憶手段に記憶された位置情報と、前記メタ情報取得手段が取得した前記メタ情報とに基づき、前記コンテンツの撮影対象が存在する領域を特定する領域特定手段と、をさらに備え、
前記コンテンツ記憶手段は、前記領域特定手段が特定した前記コンテンツの撮影対象が存在する領域を前記メタ情報として前記コンテンツと対応付けて記憶することを特徴とする請求項２〜６のいずれか１つに記載のコンテンツ管理装置。
【請求項８】
前記位置情報記憶手段は、緯度および経度と、当該緯度および経度が含まれる領域の名称とを対応付けた位置情報を記憶することを特徴とする請求項７に記載のコンテンツ管理装置。
【請求項９】
前記受信手段は、前記位置情報記憶手段に記憶する位置情報を受信し、
前記位置情報記憶手段は、前記受信手段が受信した位置情報を記憶することを特徴とする請求項７または８に記載のコンテンツ管理装置。
【請求項１０】
前記メタ情報取得手段が取得した前記メタ情報の改ざんの有無を検証するメタ情報検証手段をさらに備えたことを特徴とする請求項１〜９のいずれか１つに記載のコンテンツ管理装置。
【請求項１１】
コンテンツ管理装置とネットワークを介して接続され、コンテンツの撮影を行う撮像装置において、
前記コンテンツに関連する情報であるメタ情報として、前記コンテンツを撮影した地点の位置情報を、撮影した前記コンテンツと対応付けて保存するコンテンツ保存手段と、
前記コンテンツ保存手段が保存した前記コンテンツを前記コンテンツ管理装置または前記クライアント装置に送信する送信手段と、
を備えたことを特徴とする撮像装置。
【請求項１２】
前記コンテンツ保存手段は、前記コンテンツに関連する情報であるメタ情報として、前記コンテンツを撮影した地点の緯度および経度を、撮影した前記コンテンツと対応付けて保存することを特徴とする請求項１１に記載の撮像装置。
【請求項１３】
前記コンテンツ保存手段は、前記コンテンツに関連する情報であるメタ情報として、前記コンテンツを撮影した地点の緯度および経度と、撮影した方向とを、撮影した前記コンテンツと対応付けて保存することを特徴とする請求項１１に記載の撮像装置。
【請求項１４】
前記コンテンツ保存手段は、前記コンテンツに関連する情報であるメタ情報として、前記コンテンツを撮影した地点の緯度および経度と、撮影した方向と、撮影した地点から撮影対象までの距離とを、撮影した前記コンテンツと対応付けて保存することを特徴とする請求項１１に記載の撮像装置。
【請求項１５】
前記コンテンツ保存手段は、前記メタ情報の改ざんの有無を検証する情報を付加して撮影した前記コンテンツを保存することを特徴とする請求項１１〜１４のいずれか１つに記載の撮像装置。
【請求項１６】
前記コンテンツ保存手段は、前記メタ情報の改ざんの有無を検証する情報として、電子透かし情報を付加して撮影した前記コンテンツを保存することを特徴とする請求項１５に記載の撮像装置。
【請求項１７】
コンテンツの撮影を行う撮像装置と、前記撮像装置が撮影した前記コンテンツの送受信を行うクライアント装置と、前記クライアント装置とネットワークを介して接続され、前記クライアント装置から送信された前記コンテンツを管理するコンテンツ管理装置とからなるコンテンツ管理システムにおいて、
前記撮像装置は、
前記コンテンツに関連する情報であるメタ情報として、前記コンテンツを撮影した地点の位置情報を、撮影した前記コンテンツと対応付けて保存するコンテンツ保存手段と、
前記コンテンツ保存手段が保存した前記コンテンツを前記コンテンツ管理装置または前記クライアント装置に送信する送信手段と、を備え、
前記コンテンツ管理装置は、
前記撮像装置または前記クライアント装置が送信したコンテンツを受信する受信手段と、
前記受信手段が受信した前記コンテンツから、前記メタ情報を取得するメタ情報取得手段と、
前記受信手段が受信した前記コンテンツと、前記メタ情報取得手段が取得した前記メタ情報とを対応付けて記憶するコンテンツ記憶手段と、
前記コンテンツ記憶手段から、前記メタ情報を検索キーとして前記コンテンツを検索する検索手段と、
前記検索手段が検索した前記コンテンツを前記クライアント装置に配信する配信手段と、
を備えたことを特徴とするコンテンツ管理システム。
【請求項１８】
ネットワークを介して接続されたクライアント装置または撮像装置が送信したコンテンツを受信する受信ステップと、
前記受信ステップが受信した前記コンテンツから前記コンテンツに関連する情報であるメタ情報を取得するメタ情報取得ステップと、
前記受信ステップが受信した前記コンテンツと、前記メタ情報取得ステップが取得した前記メタ情報とを対応付けて記憶するコンテンツ記憶手段から、前記メタ情報を検索キーとして前記コンテンツを検索する検索ステップと、
前記検索ステップが検索した前記コンテンツを前記クライアント装置に配信する配信ステップと、
を備えたことを特徴とするコンテンツ管理方法。
【請求項１９】
前記メタ情報取得ステップは、前記コンテンツを撮影した地点の位置情報を前記メタ情報として取得することを特徴とする請求項１８に記載のコンテンツ管理方法。
【請求項２０】
前記メタ情報取得ステップは、前記コンテンツを撮影した地点の位置情報と、前記コンテンツを撮影した方向とを前記メタ情報として取得することを特徴とする請求項１８に記載のコンテンツ管理方法。
【請求項２１】
前記メタ情報取得ステップは、前記コンテンツを撮影した地点の位置情報と、前記コンテンツを撮影した方向と、前記コンテンツを撮影した地点から撮影対象までの距離とを前記メタ情報として取得することを特徴とする請求項１８に記載のコンテンツ管理方法。
【請求項２２】
前記メタ情報取得ステップは、前記コンテンツを撮影した地点の位置情報として、前記コンテンツを撮影した地点の緯度および経度を取得することを特徴とする請求項１９〜２１のいずれか１つに記載のコンテンツ管理方法。
【請求項２３】
前記コンテンツは撮像画像であることを特徴とする請求項１８〜２２のいずれか１つに記載のコンテンツ管理方法。
【請求項２４】
記憶手段に記憶された位置情報と、前記メタ情報取得ステップが取得した前記メタ情報とに基づき、前記コンテンツの撮影対象が存在する領域を特定する領域特定ステップと、をさらに備え、
前記コンテンツ記憶手段は、前記領域特定ステップが特定した前記コンテンツの撮影対象が存在する領域を前記メタ情報として前記コンテンツと対応付けて記憶することを特徴とする請求項１９〜２３のいずれか１つに記載のコンテンツ管理方法。
【請求項２５】
前記領域特定ステップは、緯度および経度と当該緯度および経度が含まれる領域の名称とを対応付けて記憶手段に記憶された位置情報と、前記メタ情報取得ステップが取得した前記メタ情報とに基づき、前記コンテンツの撮影対象が存在する領域を特定することを特徴とする請求項２４に記載のコンテンツ管理方法。
【請求項２６】
前記受信ステップは、前記記憶手段に記憶する位置情報を受信し、
前記記憶手段は、前記受信ステップが受信した位置情報を記憶することを特徴とする請求項２４または２５に記載のコンテンツ管理方法。
【請求項２７】
前記メタ情報取得ステップが取得した前記メタ情報の改ざんの有無を検証するメタ情報検証ステップをさらに備えたことを特徴とする請求項１８〜２６のいずれか１つに記載のコンテンツ管理方法。
【請求項２８】
請求項１８〜２７のいずれか１つに記載のコンテンツ管理方法をコンピュータに実行させるプログラム。
【発明の詳細な説明】
【技術分野】
【０００１】
本発明は、撮影したコンテンツの共有を行うコンテンツ管理システム、および当該システムに使用するコンテンツ管理装置、コンテンツ管理方法、コンテンツ管理プログラム、および撮像装置に関する。
【背景技術】
【０００２】
デジタルデバイスやネットワークの普及により、遠足や旅行などのイベントにおいて撮影されたコンテンツが、ネットワーク上で容易に共有できるようになった。一般に、このようなネットワーク上におけるコンテンツの共有時には、ユーザＩＤ・パスワードなどによって認証された利用者のみにアクセス許可を与えるといったアクセス制限がかけられる。
【０００３】
例えば、特許文献１においては、特定のコンテンツの制作作業に従事する者にユーザＩＤ・パスワードを付与してアクセス許可を与え、アクセス許可が与えられた利用者のみが当該特定のコンテンツを共有し、その制作作業に関与できる技術が提案されている。
【０００４】
【特許文献１】特開２００１−２２９２８２号公報
【発明の開示】
【発明が解決しようとする課題】
【０００５】
しかしながら、上述のような方法では、一旦ユーザＩＤ・パスワードにより認証されれば、利用者に直接関連のないコンテンツであっても共有することができる場合があるという問題があった。例えば、ある旅行会社のコンテンツ共有システムにおいて、１つのユーザＩＤ・パスワードの認証のみで当該システム全体へのアクセス許可を判断する場合、認証された利用者が参加していない旅行ツアーにおいて撮影されたコンテンツであっても、当該利用者が閲覧しうるという問題があった。
【０００６】
これを防止するため、コンテンツを撮影した利用者が知っている他の利用者のみにアクセス許可を与えるなどの方法によりアクセス制限を厳格にすると、共有させたくない利用者によって閲覧される恐れはなくなるが、同じイベントに参加した面識の無い利用者とコンテンツを共有することができなくなるという問題があった。
【０００７】
本発明は、上記に鑑みてなされたものであって、ユーザＩＤ・パスワードなどによるアクセス制限によってコンテンツの共有を管理するだけでなく、コンテンツに関連する情報であるメタ情報により複数のコンテンツを関連づけてコンテンツの共有を管理することができるコンテンツ管理装置を提供することを目的とする。
【課題を解決するための手段】
【０００８】
上述した課題を解決し、目的を達成するために、請求項１にかかる発明は、コンテンツ管理装置において、ネットワークを介して接続されたクライアント装置または撮像装置が送信したコンテンツを受信する受信手段と、前記受信手段が受信した前記コンテンツから前記コンテンツに関連する情報であるメタ情報を取得するメタ情報取得手段と、前記受信手段が受信した前記コンテンツと、前記メタ情報取得手段が取得した前記メタ情報とを対応付けて記憶するコンテンツ記憶手段と、前記コンテンツ記憶手段から、前記メタ情報を検索キーとして前記コンテンツを検索する検索手段と、前記検索手段が検索した前記コンテンツを前記クライアント装置に配信する配信手段と、を備えたことを特徴とする。
【０００９】
また、請求項２にかかる発明は、請求項１に記載のコンテンツ管理装置において、前記メタ情報取得手段は、前記コンテンツを撮影した地点の位置情報を前記メタ情報として取得することを特徴とする。
【００１０】
また、請求項３にかかる発明は、請求項１に記載のコンテンツ管理装置において、前記メタ情報取得手段は、前記コンテンツを撮影した地点の位置情報と、前記コンテンツを撮影した方向とを前記メタ情報として取得することを特徴とする。
【００１１】
また、請求項４にかかる発明は、請求項１に記載のコンテンツ管理装置において、前記メタ情報取得手段は、前記コンテンツを撮影した地点の位置情報と、前記コンテンツを撮影した方向と、前記コンテンツを撮影した地点から撮影対象までの距離とを前記メタ情報として取得することを特徴とする。
【００１２】
また、請求項５にかかる発明は、請求項２〜４のいずれか１つに記載のコンテンツ管理装置において、前記メタ情報取得手段は、前記コンテンツを撮影した地点の位置情報として、前記コンテンツを撮影した地点の緯度および経度を取得することを特徴とする。
【００１３】
また、請求項６にかかる発明は、請求項１〜５のいずれか１つに記載のコンテンツ管理装置において、前記コンテンツは撮像画像であることを特徴とする。
【００１４】
また、請求項７にかかる発明は、請求項２〜６のいずれか１つに記載のコンテンツ管理装置において、位置情報を記憶する位置情報記憶手段と、前記位置情報記憶手段に記憶された位置情報と、前記メタ情報取得手段が取得した前記メタ情報とに基づき、前記コンテンツの撮影対象が存在する領域を特定する領域特定手段と、をさらに備え、前記コンテンツ記憶手段は、前記領域特定手段が特定した前記コンテンツの撮影対象が存在する領域を前記メタ情報として前記コンテンツと対応付けて記憶することを特徴とする。
【００１５】
また、請求項８にかかる発明は、請求項７に記載のコンテンツ管理装置において、前記位置情報記憶手段は、緯度および経度と、当該緯度および経度が含まれる領域の名称とを対応付けた位置情報を記憶することを特徴とする。
【００１６】
また、請求項９にかかる発明は、請求項７または８に記載のコンテンツ管理装置において、前記受信手段は、前記位置情報記憶手段に記憶する位置情報を受信し、前記位置情報記憶手段は、前記受信手段が受信した位置情報を記憶することを特徴とする。
【００１７】
また、請求項１０にかかる発明は、請求項１〜９のいずれか１つに記載のコンテンツ管理装置において、前記メタ情報取得手段が取得した前記メタ情報の改ざんの有無を検証するメタ情報検証手段をさらに備えたことを特徴とする。
【００１８】
また、請求項１１にかかる発明は、コンテンツ管理装置とネットワークを介して接続され、コンテンツの撮影を行う撮像装置において、前記コンテンツに関連する情報であるメタ情報として、前記コンテンツを撮影した地点の位置情報を、撮影した前記コンテンツと対応付けて保存するコンテンツ保存手段と、前記コンテンツ保存手段が保存した前記コンテンツを前記コンテンツ管理装置または前記クライアント装置に送信する送信手段と、を備えたことを特徴とする。
【００１９】
また、請求項１２にかかる発明は、請求項１１に記載の撮像装置において、前記コンテンツ保存手段は、前記コンテンツに関連する情報であるメタ情報として、前記コンテンツを撮影した地点の緯度および経度を、撮影した前記コンテンツと対応付けて保存することを特徴とする。
【００２０】
また、請求項１３にかかる発明は、請求項１１に記載の撮像装置において、前記コンテンツ保存手段は、前記コンテンツに関連する情報であるメタ情報として、前記コンテンツを撮影した地点の緯度および経度と、撮影した方向とを、撮影した前記コンテンツと対応付けて保存することを特徴とする。
【００２１】
また、請求項１４にかかる発明は、請求項１１に記載の撮像装置において、前記コンテンツ保存手段は、前記コンテンツに関連する情報であるメタ情報として、前記コンテンツを撮影した地点の緯度および経度と、撮影した方向と、撮影した地点から撮影対象までの距離とを、撮影した前記コンテンツと対応付けて保存することを特徴とする。
【００２２】
また、請求項１５にかかる発明は、請求項１１〜１４のいずれか１つに記載の撮像装置において、前記コンテンツ保存手段は、前記メタ情報の改ざんの有無を検証する情報を付加して撮影した前記コンテンツを保存することを特徴とする。
【００２３】
また、請求項１６にかかる発明は、請求項１５に記載の撮像装置において、前記コンテンツ保存手段は、前記メタ情報の改ざんの有無を検証する情報として、電子透かし情報を付加して撮影した前記コンテンツを保存することを特徴とする。
【００２４】
また、請求項１７にかかる発明は、コンテンツの撮影を行う撮像装置と、前記撮像装置が撮影した前記コンテンツの送受信を行うクライアント装置と、前記クライアント装置とネットワークを介して接続され、前記クライアント装置から送信された前記コンテンツを管理するコンテンツ管理装置とからなるコンテンツ管理システムにおいて、前記撮像装置は、前記コンテンツに関連する情報であるメタ情報として、前記コンテンツを撮影した地点の位置情報を、撮影した前記コンテンツと対応付けて保存するコンテンツ保存手段と、前記コンテンツ保存手段が保存した前記コンテンツを前記コンテンツ管理装置または前記クライアント装置に送信する送信手段と、を備え、前記コンテンツ管理装置は、前記撮像装置または前記クライアント装置が送信したコンテンツを受信する受信手段と、前記受信手段が受信した前記コンテンツから、前記メタ情報を取得するメタ情報取得手段と、前記受信手段が受信した前記コンテンツと、前記メタ情報取得手段が取得した前記メタ情報とを対応付けて記憶するコンテンツ記憶手段と、前記コンテンツ記憶手段から、前記メタ情報を検索キーとして前記コンテンツを検索する検索手段と、前記検索手段が検索した前記コンテンツを前記クライアント装置に配信する配信手段と、を備えたことを特徴とする。
【００２５】
また、請求項１８にかかる発明は、コンテンツ管理方法において、ネットワークを介して接続されたクライアント装置または撮像装置が送信したコンテンツを受信する受信ステップと、前記受信ステップが受信した前記コンテンツから前記コンテンツに関連する情報であるメタ情報を取得するメタ情報取得ステップと、前記受信ステップが受信した前記コンテンツと、前記メタ情報取得ステップが取得した前記メタ情報とを対応付けて記憶するコンテンツ記憶手段から、前記メタ情報を検索キーとして前記コンテンツを検索する検索ステップと、前記検索ステップが検索した前記コンテンツを前記クライアント装置に配信する配信ステップと、を備えたことを特徴とする。
【００２６】
また、請求項１９にかかる発明は、請求項１８に記載のコンテンツ管理方法において、前記メタ情報取得ステップは、前記コンテンツを撮影した地点の位置情報を前記メタ情報として取得することを特徴とする。
【００２７】
また、請求項２０にかかる発明は、請求項１８に記載のコンテンツ管理方法において、前記メタ情報取得ステップは、前記コンテンツを撮影した地点の位置情報と、前記コンテンツを撮影した方向とを前記メタ情報として取得することを特徴とする。
【００２８】
また、請求項２１にかかる発明は、請求項１８に記載のコンテンツ管理方法において、前記メタ情報取得ステップは、前記コンテンツを撮影した地点の位置情報と、前記コンテンツを撮影した方向と、前記コンテンツを撮影した地点から撮影対象までの距離とを前記メタ情報として取得することを特徴とする。
【００２９】
また、請求項２２にかかる発明は、請求項１９〜２１のいずれか１つに記載のコンテンツ管理方法において、前記メタ情報取得ステップは、前記コンテンツを撮影した地点の位置情報として、前記コンテンツを撮影した地点の緯度および経度を取得することを特徴とする。
【００３０】
また、請求項２３にかかる発明は、請求項１８〜２２のいずれか１つに記載のコンテンツ管理方法において、前記コンテンツは撮像画像であることを特徴とする。
【００３１】
また、請求項２４にかかる発明は、請求項１９〜２３のいずれか１つに記載のコンテンツ管理方法において、記憶手段に記憶された位置情報と、前記メタ情報取得ステップが取得した前記メタ情報とに基づき、前記コンテンツの撮影対象が存在する領域を特定する領域特定ステップと、をさらに備え、前記コンテンツ記憶手段は、前記領域特定ステップが特定した前記コンテンツの撮影対象が存在する領域を前記メタ情報として前記コンテンツと対応付けて記憶することを特徴とする。
【００３２】
また、請求項２５にかかる発明は、請求項２４に記載のコンテンツ管理方法において、前記領域特定ステップは、緯度および経度と当該緯度および経度が含まれる領域の名称とを対応付けて記憶手段に記憶された位置情報と、前記メタ情報取得ステップが取得した前記メタ情報とに基づき、前記コンテンツの撮影対象が存在する領域を特定することを特徴とする。
【００３３】
また、請求項２６にかかる発明は、請求項２４または２５に記載のコンテンツ管理方法において、前記受信ステップは、前記記憶手段に記憶する位置情報を受信し、前記記憶手段は、前記受信ステップが受信した位置情報を記憶することを特徴とする。
【００３４】
また、請求項２７にかかる発明は、請求項１８〜２６のいずれか１つに記載のコンテンツ管理方法において、前記メタ情報取得ステップが取得した前記メタ情報の改ざんの有無を検証するメタ情報検証ステップをさらに備えたことを特徴とする。
【００３５】
また、請求項２８にかかる発明は、請求項１８〜２７のいずれか１つに記載のコンテンツ管理方法をコンピュータに実行させるプログラムである。
【発明の効果】
【００３６】
請求項１にかかる発明によれば、メタ情報が付加されたコンテンツを受信し、メタ情報を検索キーとしてコンテンツの検索、配信を行うことができる。このため、メタ情報により関連付けてコンテンツを共有することができるという効果を奏する。
【００３７】
また、請求項２にかかる発明によれば、メタ情報としてコンテンツを撮影した地点の位置情報をコンテンツに付加することができる。このため、コンテンツを撮影した地点により関連付けてコンテンツを共有することができるという効果を奏する。
【００３８】
また、請求項３にかかる発明によれば、メタ情報としてコンテンツを撮影した地点の位置情報と、コンテンツを撮影した方向とをコンテンツに付加することができる。このため、コンテンツを撮影した地点だけでなく、撮影方向により関連付けてコンテンツを共有することができるという効果を奏する。
【００３９】
また、請求項４にかかる発明によれば、メタ情報としてコンテンツを撮影した地点の位置情報と、コンテンツを撮影した方向と、コンテンツを撮影した地点から撮影対象までの距離とをコンテンツに付加することができる。このため、撮影地点、撮影方向だけでなく、撮影距離により関連付けてコンテンツを共有することができるという効果を奏する。
【００４０】
また、請求項５にかかる発明によれば、メタ情報としてコンテンツを撮影した地点の緯度および経度をコンテンツに付加することができる。このため、緯度および経度で特定される地点により関連付けてコンテンツを共有することができるという効果を奏する。
【００４１】
また、請求項６にかかる発明によれば、撮像画像をコンテンツとすることができるため、撮像画像を撮影した地点により関連付けてコンテンツを共有することができるという効果を奏する。
【００４２】
また、請求項７にかかる発明によれば、位置情報記憶手段に記憶された位置情報とメタ情報から取得した位置情報とから、コンテンツの撮影対象が存在する領域を特定することができる。このため、撮影対象が存在する領域により関連付けてコンテンツを共有することができるという効果を奏する。
【００４３】
また、請求項８にかかる発明によれば、位置情報記憶手段に、緯度および経度と当該緯度および経度が含まれる領域の名称とを対応付けて記憶された位置情報と、メタ情報から取得した位置情報とから、コンテンツの撮影対象が存在する領域を特定することができ、特定した領域により関連付けてコンテンツを共有することができるという効果を奏する。
【００４４】
また、請求項９にかかる発明によれば、位置情報を受信し、受信した位置情報を位置情報記憶手段に記憶することができる。このため、位置情報が登録されていない領域で利用者が撮影したコンテンツであっても、利用者が位置情報を送信した後であればコンテンツを共有することができるという効果を奏する。
【００４５】
また、請求項１０にかかる発明によれば、メタ情報の改ざんの有無を検証することができる。このため、メタ情報を書き換えることにより不正にコンテンツを共有しようとする行為を防止することができるという効果を奏する。
【００４６】
また、請求項１１にかかる発明によれば、コンテンツを撮影した地点の位置情報をメタ情報としてコンテンツと対応付けて保存し、保存したコンテンツを送信することができる。このため、コンテンツを受信したコンテンツ管理装置においてコンテンツのメタ情報を取得することができるという効果を奏する。
【００４７】
また、請求項１２にかかる発明によれば、コンテンツを撮影した地点の緯度および経度をメタ情報としてコンテンツと対応付けて保存し、保存したコンテンツを送信することができる。このため、コンテンツを受信したコンテンツ管理装置においてコンテンツを撮影した地点の緯度および経度を取得することができるという効果を奏する。
【００４８】
また、請求項１３にかかる発明によれば、コンテンツを撮影した地点の緯度および経度と、撮影した方向とをメタ情報としてコンテンツと対応付けて保存し、保存したコンテンツを送信することができる。このため、コンテンツを受信したコンテンツ管理装置においてコンテンツを撮影した地点の緯度および経度と、撮影した方向とを取得することができるという効果を奏する。
【００４９】
また、請求項１４にかかる発明によれば、コンテンツを撮影した地点の緯度および経度と、撮影した方向と、撮影した地点から撮影対象までの距離とをメタ情報としてコンテンツと対応付けて保存し、保存したコンテンツを送信することができる。このため、コンテンツを受信したコンテンツ管理装置においてコンテンツを撮影した地点の緯度および経度と、撮影した方向と、撮影した地点から撮影対象までの距離とを取得することができるという効果を奏する。
【００５０】
また、請求項１５にかかる発明によれば、メタ情報の改ざんの有無を検証する情報を付加してコンテンツを保存し、保存したコンテンツを送信することができる。このため、コンテンツを受信したコンテンツ管理装置においてメタ情報の改ざんの有無を検証することができるという効果を奏する。
【００５１】
また、請求項１６にかかる発明によれば、メタ情報の改ざんの有無を検証する電子透かし情報を付加してコンテンツを保存し、保存したコンテンツを送信することができる。このため、コンテンツを受信したコンテンツ管理装置において電子透かしによるメタ情報の改ざんの有無の検証を実行することができるという効果を奏する。
【００５２】
また、請求項１７にかかる発明によれば、撮像装置でメタ情報を付加して保存したコンテンツを、クライアント装置を介してコンテンツ管理装置に送信し、送信したコンテンツをから取得したメタ情報を検索キーとしてコンテンツの検索、配信を行うコンテンツ管理システムを実現することができる。このため、メタ情報により関連付けてコンテンツを共有することができるという効果を奏する。
【００５３】
請求項１８にかかる発明によれば、メタ情報が付加されたコンテンツを受信し、メタ情報を検索キーとしてコンテンツの検索、配信を行うことができる。このため、メタ情報により関連付けてコンテンツを共有することができるという効果を奏する。
【００５４】
また、請求項１９にかかる発明によれば、メタ情報としてコンテンツを撮影した地点の位置情報をコンテンツに付加することができる。このため、コンテンツを撮影した地点により関連付けてコンテンツを共有することができるという効果を奏する。
【００５５】
また、請求項２０にかかる発明によれば、メタ情報としてコンテンツを撮影した地点の位置情報と、コンテンツを撮影した方向とをコンテンツに付加することができる。このため、コンテンツを撮影した地点だけでなく、撮影方向により関連付けてコンテンツを共有することができるという効果を奏する。
【００５６】
また、請求項２１にかかる発明によれば、メタ情報としてコンテンツを撮影した地点の位置情報と、コンテンツを撮影した方向と、コンテンツを撮影した地点から撮影対象までの距離とをコンテンツに付加することができる。このため、撮影地点、撮影方向だけでなく、撮影距離により関連付けてコンテンツを共有することができるという効果を奏する。
【００５７】
また、請求項２２にかかる発明によれば、メタ情報としてコンテンツを撮影した地点の緯度および経度をコンテンツに付加することができる。このため、緯度および経度で特定される地点により関連付けてコンテンツを共有することができるという効果を奏する。
【００５８】
また、請求項２３にかかる発明によれば、撮像画像をコンテンツとすることができるため、撮像画像を撮影した地点により関連付けてコンテンツを共有することができるという効果を奏する。
【００５９】
また、請求項２４にかかる発明によれば、位置情報記憶手段に記憶された位置情報とメタ情報から取得した位置情報とから、コンテンツの撮影対象が存在する領域を特定することができる。このため、撮影対象が存在する領域により関連付けてコンテンツを共有することができるという効果を奏する。
【００６０】
また、請求項２５にかかる発明によれば、位置情報記憶手段に、緯度および経度と当該緯度および経度が含まれる領域の名称とを対応付けて記憶された位置情報と、メタ情報から取得した位置情報とから、コンテンツの撮影対象が存在する領域を特定することができ、特定した領域により関連付けてコンテンツを共有することができるという効果を奏する。
【００６１】
また、請求項２６にかかる発明によれば、位置情報を受信し、受信した位置情報を位置情報記憶手段に記憶することができる。このため、位置情報が登録されていない領域で利用者が撮影したコンテンツであっても、利用者が位置情報を送信した後であればコンテンツを共有することができるという効果を奏する。
【００６２】
また、請求項２７にかかる発明によれば、メタ情報の改ざんの有無を検証することができる。このため、メタ情報を書き換えることにより不正にコンテンツを共有しようとする行為を防止することができるという効果を奏する。
【００６３】
また、請求項２８の発明によれば、請求項１８〜２７に記載の方法をコンピュータに実行させることができるという効果を奏する。
【発明を実施するための最良の形態】
【００６４】
以下に添付図面を参照して、この発明にかかるコンテンツ管理装置の最良な実施の形態を詳細に説明する。
【００６５】
（第１の実施の形態）
第１の実施の形態にかかるコンテンツ管理装置は、コンテンツを撮影した地点の位置情報がメタ情報として対応づけられたコンテンツをクライアント装置から受信し、受信したコンテンツからメタ情報を取得してコンテンツと対応づけて記憶するものである。また、記憶したコンテンツを、メタ情報を検索キーとして検索し、クライアント装置に配信するものである。
【００６６】
ここで、メタ情報とはコンテンツに関連する情報をいい、例えば、コンテンツの撮影日時、撮影した地点の位置情報、撮像装置のレンズの絞り・シャッタースピード、撮影対象の名称などが該当する。なお、これらは一例であり、コンテンツに関連する情報であればあらゆる情報をメタ情報として扱うことができる。
【００６７】
図１は、本発明の第１の実施の形態にかかるコンテンツ管理装置１００を含むコンテンツ管理システムの構成を示す説明図である。同図においては、コンテンツ管理装置１００が、インターネット１２０を介してクライアントＰＣ１３０および撮像装置１４０に接続されたコンテンツ管理システム全体の構成図が示されている。
【００６８】
クライアントＰＣ１３０は、ＣＰＵ（Ｃｅｎｔｒａｌ  Ｐｒｏｃｅｓｓｉｎｇ  Ｕｎｉｔ）などの制御装置と、ＲＯＭ（Ｒｅａｄ  Ｏｎｌｙ  Ｍｅｍｏｒｙ）やＲＡＭ（Ｒａｎｄｏｍ Ａｃｃｅｓｓ Ｍｅｍｏｒｙ）などの記憶装置と、ＨＤＤ（Ｈａｒｄ  Ｄｉｓｋ  Ｄｒｉｖｅ）、ＣＤドライブ装置などの外部記憶装置と、ディスプレイ装置などの表示装置と、キーボードやマウスなどの入力装置を備えた、通常のコンピュータを利用したハードウェア構成となっており、撮像装置１４０からコンテンツを受信する機能、受信したコンテンツをコンテンツ管理装置１００に送信する機能、コンテンツ管理装置１００からコンテンツを検索するためのコンテンツ検索画面を表示する機能を有している。コンテンツ検索画面の詳細については後述する。
【００６９】
撮像装置１４０は、デジタルビデオカメラやデジタルカメラなどのコンテンツの撮影、撮影したコンテンツの保存、保存したコンテンツの出力を行う装置であり、撮像部１４１と、位置情報取得部１４２と、コンテンツ記憶制御部１４５と、送信部１４６と、コンテンツ保存部１４７とを備えている。
【００７０】
撮像部１４１は、コンテンツの撮影を行うものであり、撮像のために設けられたレンズ・レンズ駆動モータなどの光学系部品、ＣＣＤ（Ｃｈａｒｇｅ  Ｃｏｕｐｌｅｄ  Ｄｅｖｉｃｅ）、ＣＣＤ駆動回路、およびＡ／Ｄ変換器を含むものである。
【００７１】
位置情報取得部１４２は、ＧＰＳ受信機能により撮像装置１４０の緯度・経度などの位置情報を取得してコンテンツ記憶制御部１４５に供給するものである。なお、位置情報は緯度・経度に限られるものではなく、撮像装置１４０が存在する地点が識別できるものであれば、どのような情報を用いてもよい。
【００７２】
コンテンツ記憶制御部１４５は、撮像部１４１が撮影したコンテンツに、撮影日時や位置情報取得部１４２が取得した位置情報をメタ情報として付加するとともに、付加したメタ情報の改ざんチェックを行うための情報を埋め込んで、コンテンツ保存部１４７に保存するものである。改ざんチェックのための情報を埋め込む方法としては、電子透かし情報の埋め込みなどの、一般的に用いられているあらゆる方法を適用することができる。
【００７３】
送信部１４６は、インターネット１２０などのネットワークを介してコンテンツ管理装置１００、またはクライアントＰＣ１３０に対し、コンテンツ保存部１４７に保存されているコンテンツを送信するものである。なお、ネットワークはインターネットに限られるものではなく、ＬＡＮ（Ｌｏｃａｌ  Ａｒｅａ  Ｎｅｔｗｏｒｋ）や専用線などのあらゆるネットワークを用いるように構成することができる。また、クライアントＰＣ１３０に対しては、ＵＳＢ（Ｕｎｉｖｅｒｓａｌ  Ｓｅｒｉａｌ  Ｂｕｓ）などの通信インターフェースにより接続してコンテンツの送信を行うように構成してもよい。
【００７４】
コンテンツ保存部１４７は、コンテンツ記憶制御部１４５によりメタ情報としての位置情報と改ざんチェック情報とが埋め込まれたコンテンツを保存するものである。コンテンツ保存部１４７は、一般的な撮像装置に用いられる磁気テープ、ＨＤＤ、光ディスク、メモリカードなどのあらゆる記憶手段により構成することができる。
【００７５】
コンテンツ管理装置１００は、クライアントＰＣ１３０または撮像装置１４０から送信されたコンテンツを共有するための管理を行う装置であり、認証部１０１と、表示制御部１０２と、受信部１０３と、メタ情報取得部１０４と、検索部１０５と、配信部１０６と、領域特定部１０７と、記憶制御部１０８と、メタ情報検証部１０９と、コンテンツ記憶部１１１と、メタ情報管理部１１２と、位置情報記憶部１１３とを備えている。コンテンツ記憶部１１１とメタ情報管理部１１２とが、本発明におけるコンテンツ記憶手段に相当する。
【００７６】
認証部１０１は、利用者がアクセス権限を有するか否かの判定を行うものである。認証の方法としては、ユーザＩＤとパスワードを入力する方法、個々の装置を識別するためのシリアル番号などの識別情報により認証する方法などの、一般的に用いられているあらゆる認証方法を適用することができる。
【００７７】
表示制御部１０２は、クライアントＰＣ１３０の表示装置上に認証画面やコンテンツ検索画面などの画面を表示する際の制御を行うものである。なお、認証画面とは、ユーザＩＤとパスワードとを入力する画面などの、利用者の認証のために必要な情報を入力する画面をいう。
【００７８】
受信部１０３は、クライアントＰＣ１３０または撮像装置１４０から送信されたコンテンツ、クライアントＰＣ１３０から送信された検索条件、およびクライアントＰＣ１３０から送信された位置情報を受信するものである。
【００７９】
メタ情報取得部１０４は、受信部１０３により受信されたコンテンツに付加されている撮影日時、撮影した地点の緯度・経度をメタ情報として取得するものである。
【００８０】
検索部１０５は、利用者がコンテンツ検索画面から入力し、受信部１０３により受信された検索条件に従い、コンテンツ記憶部１１１およびメタ情報管理部１１２から、条件に適合するコンテンツを検索するものである。また、検索部１０５は、受信部１０３により受信されたコンテンツから取得したメタ情報を検索条件として、コンテンツを検索するように構成してもよい。これにより、利用者がコンテンツ管理装置１００にコンテンツを送信したときに、送信したコンテンツのメタ情報と関連するメタ情報を有する他のコンテンツを検索し、検索したコンテンツを当該利用者に共有させることが可能となる。すなわち、コンテンツ検索画面において共有するコンテンツの検索条件を指定しなくても、関連するコンテンツを共有することができるようになる。
【００８１】
配信部１０６は、検索部１０５が検索したコンテンツのうち、メタ情報検証部１０９により改ざんチェックおよびメタ情報の比較チェックが行われ配信可能と判断されたコンテンツを、クライアントＰＣ１３０に配信するものである。
【００８２】
領域特定部１０７は、位置情報記憶部１１３を参照し、メタ情報取得部１０４が取得した緯度・経度が含まれる領域を特定するものである。特定した領域は、撮影地点を含む領域としてメタ情報管理部１１２に記憶される。ここで、領域とは、一定の範囲を占める建物や土地を表すものであり、例えば、ビル、学校、公園、山林などがひとつの領域として扱われる。
【００８３】
なお、第１の実施の形態においては、撮影地点を含む領域が、撮影対象が存在する領域であると判断される。以下、撮影対象が存在する領域を、撮影領域という。メタ情報管理部１１２、位置情報記憶部１１３、および領域特定方法の詳細については後述する。
【００８４】
記憶制御部１０８は、コンテンツ記憶部１１１、メタ情報管理部１１２、位置情報記憶部１１３へのデータの記憶の制御を実行するものである。記憶制御部１０８は、受信部１０３が受信したコンテンツをコンテンツ記憶部１１１に記憶し、コンテンツから取得したメタ情報をメタ情報管理部１１２に記憶し、受信部１０３が受信した位置情報を位置情報記憶部１１３に記憶する。
【００８５】
メタ情報検証部１０９は、配信部１０６によりコンテンツを配信する前に、当該コンテンツのメタ情報である撮影日時、撮影した地点の緯度・経度を参照して、当該コンテンツの配信を希望する利用者が配信を許可されている日時および撮影領域で撮影されたコンテンツであるか否かを検証するものである。例えば、配信を許可する日時および撮影領域の情報を利用者ごとに管理することにより、本機能を実現することができる。
【００８６】
コンテンツ記憶部１１１は、受信部１０３が受信したコンテンツを記憶するものである。第１の実施の形態においては、コンテンツ記憶部１１１は、コンテンツのデータをそのまま記憶する。コンテンツのメタ情報は、次に述べるメタ情報管理部１１２に記憶する。
【００８７】
メタ情報管理部１１２は、メタ情報取得部１０４が取得したメタ情報を、そのメタ情報の取得元となったコンテンツの識別情報と対応づけて保存するものであり、メタ情報を検索キーとしてコンテンツを検索するために利用される。
【００８８】
図２は、メタ情報管理部１１２のデータ構造の一例を示す説明図である。同図に示すように、メタ情報管理部１１２は、コンテンツ記憶部１１１に記憶されたコンテンツを一意に識別するためのコンテンツＵＲＩ（Ｕｎｉｆｏｒｍ  Ｒｅｓｏｕｒｃｅ  Ｉｄｅｎｔｉｆｉｅｒ）と、コンテンツの撮影日時と、コンテンツを撮影した地点の緯度および経度と、コンテンツの撮影地点を含む領域の名称とを対応付けて格納している。
【００８９】
なお、第１の実施の形態においては、コンテンツと当該コンテンツから取得したメタ情報とを、それぞれコンテンツ記憶部１１１、メタ情報管理部１１２に分けて保存しているが、同一の記憶部に対応付けて保存するように構成してもよい。
【００９０】
位置情報記憶部１１３は、ある領域の位置を識別するための位置情報を記憶するものであり、領域特定部１０７がメタ情報に記憶された位置情報から撮影領域を特定するために利用される。位置情報記憶部１１３には、事前に位置情報を記憶しておくが、例えば、外国において撮影されたコンテンツを共有するときに、その国における位置情報が存在しない場合には、利用者により位置情報を追加登録できるように構成してもよい。この場合、受信部１０３は、利用者から送信された位置情報を受信するように構成する。
【００９１】
図３は、位置情報記憶部１１３のデータ構造の一例を示す説明図である。同図に示すように、位置情報記憶部１１３は、緯度および経度と、その緯度および経度に存在する領域の名称とを対応付けて格納している。
【００９２】
なお、コンテンツ記憶部１１１、メタ情報管理部１１２、位置情報記憶部１１３は、ＨＤＤ、光ディスク、半導体メモリなどのあらゆる記憶手段により構成することができる。
【００９３】
次に、このように構成された第１の実施の形態にかかる撮像装置１４０によるコンテンツ撮影・送信処理について説明する。図４は、第１の実施の形態におけるコンテンツ撮影・送信処理の全体の流れを示すフローチャートである。
【００９４】
まず、撮像部１４１が、コンテンツを撮影する（ステップＳ４０１）。次に、位置情報取得部１４２が、撮影地点の位置情報を取得する（ステップＳ４０２）。例えば、ＧＰＳ受信機能により撮影地点の緯度・経度を取得する。
【００９５】
次に、コンテンツ記憶制御部１４５が、撮影したコンテンツに、位置情報および電子透かしを付加してコンテンツ保存部１４７に記憶する（ステップＳ４０３）。位置情報を付加する方法としては、例えば、ＪＰＥＧ（Ｊｏｉｎｔ  Ｐｈｏｔｏｇｒａｐｈｉｃ  Ｅｘｐｅｒｔｓ  Ｇｒｏｕｐ）形式、ＴＩＦＦ（Ｔａｇｇｅｄ  Ｉｍａｇｅ  Ｆｉｌｅ  Ｆｏｒｍａｔ）形式の画像ファイルに、撮影日時、サムネイル画像などの情報を付加したＥｘｉｆ（Ｅｘｃｈａｎｇｅａｂｌｅ  Ｉｍａｇｅ  Ｆｉｌｅ  Ｆｏｒｍａｔ）形式のように、コンテンツを格納したファイルに位置情報を付加して１ファイルとして記憶する方法を適用することができる。
【００９６】
次に、送信部１４６が、コンテンツ保存部１４７内に記憶されたコンテンツを、コンテンツ管理装置１００に送信する（ステップＳ４０４）。なお、送信部１４６は、クライアントＰＣ１３０にコンテンツを送信するように構成してもよい。すなわち、送信部１４６は、直接インターネット１２０に接続して、コンテンツ管理装置１００にコンテンツを送信するように構成してもよいし、ＵＳＢなどによって接続されたクライアントＰＣ１３０に送信した後、クライアントＰＣ１３０からインターネット１２０を介してコンテンツ管理装置１００にコンテンツを送信するように構成してもよい。
【００９７】
次に、このように構成された第１の実施の形態にかかるコンテンツ管理装置１００によるコンテンツ受信・登録処理について説明する。図５は、第１の実施の形態におけるコンテンツ受信・登録処理の全体の流れを示すフローチャートである。
【００９８】
まず、受信部１０３が、撮像装置１４０が送信したコンテンツを受信する（ステップＳ５０１）。次に、メタ情報取得部１０４が、受信部１０３により受信されたコンテンツから撮影日時、撮影した地点の緯度・経度をメタ情報として取得する（ステップＳ５０２）。
【００９９】
次に、領域特定部１０７が、位置情報記憶部１１３を参照してメタ情報に含まれる緯度・経度に対応する領域の名称を取得し、それを撮影領域として特定する（ステップＳ５０３）。例えば、コンテンツに付加されているメタ情報の緯度が「３４度４３分０５．１秒」、経度が「１３５度２１分５１．８秒」であったとすると、図３に示すような位置情報記憶部１１３から、対応する領域の名称として「春日高校」が得られ、撮影領域は「春日高校」であると特定される。
【０１００】
このように、第１の実施の形態においては、撮影地点を含む領域を、撮影対象が存在する領域、すなわち撮影領域であると判断する。これは、撮影地点を含む領域が同じであれば、通常、同じ撮影対象を撮影していると考えられるためである。したがって、上述の例では、撮影地点を含む領域の名称として、「春日高校」がメタ情報管理部１１２に設定される（図２参照）。
【０１０１】
図６は、第１の実施の形態における領域特定方法の一例を示した説明図である。同図においては、×印の撮影地点６０２、６０３、６０４において、●印で示す撮影対象６０５、６０６、６０７の撮影がなされたことを示している。
【０１０２】
領域６０１の内部に含まれる撮影地点６０２から撮影した場合は、撮影地点６０２の緯度・経度から撮影領域は領域６０１であると特定される。この場合、撮影領域、すなわち撮影対象が存在する領域には、実際の撮影対象６０５が含まれている。
【０１０３】
領域６０１の内部に含まれる撮影地点６０３から、領域６０１の外部に存在する撮影対象６０７を撮影した場合にも、撮影地点６０３の緯度・経度から撮影領域は領域６０１であると特定される。この場合、撮影領域、すなわち撮影対象が存在する領域には、実際の撮影対象６０７が含まれない。
【０１０４】
領域６０１の外部に存在する撮影地点６０４から、領域６０１の内部に存在する撮影対象６０６を撮影した場合は、撮影地点６０４の緯度・経度から撮影領域は領域６０１ではないと特定される。すなわち、実際の撮影対象６０６は、領域６０１に含まれているが、撮影領域は領域６０１ではないと判断される。
【０１０５】
このように、第１の実施の形態においては、撮影対象が存在する領域を、撮影地点を含む領域により代替して特定しているため、特に領域の境界付近では判断の誤差が生じうるが、撮影地点の緯度・経度の情報のみから判断することができるため、領域特定処理を簡略化することができるという利点がある。
【０１０６】
ステップＳ５０３において領域特定部１０７が撮影領域を特定した後、記憶制御部１０８が、受信部１０３により受信されたコンテンツをコンテンツ記憶部１１１に保存するとともに、メタ情報取得部１０４により取得されたメタ情報をメタ情報管理部１１２に保存し（ステップＳ５０４）、コンテンツ受信・登録処理を終了する。
【０１０７】
次に、このように構成された第１の実施の形態にかかるコンテンツ管理装置１００によるコンテンツ検索・配信処理について説明する。図７は、第１の実施の形態におけるコンテンツ検索・配信処理の全体の流れを示すフローチャートである。
【０１０８】
まず、認証部１０１が、検索・配信を要求する利用者の認証を行う（ステップＳ７０１）。この際、ユーザＩＤ・パスワードを表示する認証画面（図示せず）を表示するように構成してもよい。
【０１０９】
利用者が認証された場合、表示制御部１０２が、コンテンツ検索画面をクライアントＰＣ１３０の表示装置上に表示する（ステップＳ７０２）。図８は、コンテンツ検索画面の内容の一例を示す説明図である。
【０１１０】
同図に示すように、コンテンツ検索画面８００には、検索キーワード入力フィールド８０１と、撮影日時入力形式選択ボタン８０２、８０３と、撮影日時入力フィールド８０４、８０５、８０６と、撮影領域入力フィールド８０７と、地図から指定ボタン８０８と、検索ボタン８０９と、終了ボタン８１０とが表示される。
【０１１１】
検索キーワード入力フィールド８０１には、メタ情報を検索するためのキーワードを複数入力することができる。利用者が検索キーワード入力フィールド８０１に検索キーワードを入力し、検索ボタン８０９をクリックすると、検索部１０５は、メタ情報管理部１１２の各フィールド（図３の例では、撮影日時、緯度、経度、撮影地点を含む領域の名称）の値を参照し、検索キーワードと一致するフィールドの値を有するコンテンツのコンテンツＵＲＩを取得し、当該コンテンツＵＲＩで識別されるコンテンツのデータをコンテンツ記憶部１１１から検索する。
【０１１２】
撮影日時は、範囲指定とすることもできるし、単独の日時を指定することもできる。このような入力形式の切り替えは、撮影日時入力形式選択ボタン８０２、８０３のクリックにより行う。撮影日時入力形式選択ボタン８０２をクリックした場合は、撮影日時入力フィールド８０４、８０５が入力可能となり、それぞれ撮影日時の開始、撮影日時の終了の値を入力することができる。撮影日時入力形式選択ボタン８０３をクリックした場合は、撮影日時入力フィールド８０６が入力可能となり、ここに検索する撮影日時を入力することができる。
【０１１３】
撮影領域は、撮影領域入力フィールド８０７に直接テキスト入力することにより指定することができる。また、地図から指定ボタン８０８をクリックすることにより表示される撮影領域指定画面の地図上から、撮影領域を指定することもできる。
【０１１４】
図９は、撮影領域指定画面の内容の一例を示す説明図である。同図に示すように、撮影領域指定画面９００の上部には、撮影領域を指定するための地図９０５と、ポインタ９０６とが表示されている。下部には、拡大ボタン９０１と、縮小ボタン９０２と、ＯＫボタン９０３と、キャンセルボタン９０４とが表示されている。
【０１１５】
ポインタ９０６をマウスなどの入力装置で移動させて撮影領域に位置づけた後、ＯＫボタン９０３をクリックすることにより、利用者は撮影領域を視覚的に指定することができる。拡大ボタン９０１、縮小ボタン９０２をクリックすると、画面上の地図がそれぞれ拡大表示、縮小表示される。キャンセルボタン９０４をクリックすると、コンテンツ検索画面に戻る。
【０１１６】
コンテンツ検索画面８００において検索条件が入力され、検索ボタン８０９がクリックされた場合、受信部１０３が、クライアントから送信された検索条件を受信する（ステップＳ７０３）。
【０１１７】
次に、検索部１０５が、検索条件に適合するメタ情報をメタ情報管理部１１２から検索し、適合するメタ情報が存在した場合は、そのメタ情報に対応するコンテンツを、コンテンツ記憶部１１１から取得する（ステップＳ７０４）。
【０１１８】
検索部１０５は、コンテンツを取得できたか否かを判断し（ステップＳ７０５）、取得できなかった場合は（ステップＳ７０５：ＮＯ）、検索条件の受信処理に戻って処理を繰り返す（ステップＳ７０３）。
【０１１９】
コンテンツを取得できた場合は（ステップＳ７０５：ＹＥＳ）、メタ情報検証部１０９が、取得したコンテンツの電子透かしなどのメタ情報の改ざんチェックのための情報から、メタ情報の改ざんの有無を確認する（ステップＳ７０６）。例えば、メタ情報の改ざんチェックのための情報として、メタ情報から予め定められた計算式により算出した計算値を埋め込んでいる場合、メタ情報検証部１０９はメタ情報管理部１１２に記憶されているメタ情報から同じ計算式により算出した計算値と、埋め込まれた計算値を比較し、両者が一致すれば改ざんがなされていないこと、不一致であれば改ざんがなされたことを確認することができる。
【０１２０】
このような方法により、メタ情報検証部１０９はメタ情報に改ざんがなされていないかを判断し（ステップＳ７０７）、改ざんがなされていると判断された場合は（ステップＳ７０７：ＮＯ）、コンテンツの配信をせずに処理を終了する。このように、メタ情報自体に改ざんがなされていないか否かを判断することにより、不正にメタ情報を書き換えてコンテンツを共有する行為を防ぐことが可能となる。
【０１２１】
ステップＳ７０７において、改ざんがなされていないと判断された場合（ステップＳ７０７：ＹＥＳ）、メタ情報検証部１０９は、認証された利用者に対して許可された日時、撮影領域で撮影されたコンテンツであるか否かを判断する（ステップＳ７０８）。例えば、個々の利用者ごとに、配信を許可する日時、撮影領域を管理するテーブル（図示せず）を設け、このテーブルに存在する日時、撮影領域で撮影されたコンテンツであるか否かを判断するように構成することができる。
【０１２２】
ステップＳ７０８において、許可された日時、撮影領域で撮影されたコンテンツでないと判断された場合は（ステップＳ７０８：ＮＯ）、コンテンツの配信をせずに処理を終了する。許可された日時、撮影領域で撮影されたコンテンツであると判断された場合は（ステップＳ７０８：ＹＥＳ）、配信部１０６が、当該コンテンツをクライアントＰＣ１３０に対して配信する（ステップＳ７０９）。
【０１２３】
このように、メタ情報の撮影日時、撮影領域の情報を用いて、利用者ごとに配信を許可するコンテンツを制限することにより、ユーザＩＤ・パスワードによる制限だけでは無関係なコンテンツが共有できてしまう問題を解消し、面識のない他人が同じ日時・撮影領域で撮影したコンテンツを適切に共有することが可能となる。
【０１２４】
なお、コンテンツ検索画面により検索条件を入力するのではなく、利用者からコンテンツが送信されたときに、そのコンテンツの撮影日時、撮影領域などのメタ情報を取得し、取得したメタ情報を検索条件としてコンテンツを検索し、配信するように構成してもよい。この場合、メタ情報検証部１０９は、ステップＳ７０８の判断を、利用者から送信されたコンテンツのメタ情報から取得した撮影日時、撮影領域が、検索したコンテンツのメタ情報から取得した撮影日時、撮影領域と一致するか否かにより行う。
【０１２５】
このように構成することにより、無関係な利用者によるコンテンツの不正な閲覧を回避するだけでなく、無関係なコンテンツの不正な登録を回避することができ、コンテンツの不正な共有をより適切に防止することが可能となる。
【０１２６】
本発明を適用した例として、例えば、旅行会社が運営するサービスサイトにおけるコンテンツ共有システムが挙げられる。サービスサイトのユーザＩＤ・パスワードにより認証された利用者が、当該旅行会社が企画したツアーで撮影されたコンテンツを送信して登録するとともに、そのツアーに参加した他の利用者が登録したコンテンツを検索することができるようにする。
【０１２７】
この際、あるツアーに参加した利用者が、当該旅行会社が企画した別のツアーにおいて撮影されたコンテンツを検索しようとしても、そのコンテンツのメタ情報に記載された撮影日時、撮影領域などから、配信が許可されていないと判断することができるため、不正なコンテンツの共有を防ぐことができる。
【０１２８】
なお、メタ情報によるアクセスの可否のチェックを配信時に行っているが、コンテンツの登録時に、許可された撮影日時、撮影領域のコンテンツであるか否かをチェックするように構成してもよい。これにより、利用者が、例えば別のツアーまたはまったく関係のないコンテンツを不正に登録することを防止できる。同様に、改ざんの有無の判断を配信時だけでなく、コンテンツの登録時に行うように構成してもよい。
【０１２９】
本発明を適用した別の例として、例えば、大学内ＬＡＮ（Ｌｏｃａｌ  Ａｒｅａ  Ｎｅｔｗｏｒｋ）におけるコンテンツ共有システムが挙げられる。これは、ある授業で作成されたコンテンツを、その授業に参加した学生のみが共有できるようにするものである。撮影日時と、各教室単位で区分した撮影領域とで共有の可否を判断するように構成することにより、同じ教室で作成されたコンテンツであっても、撮影日時、すなわち授業時間が異なる授業で作成されたコンテンツは共有できないようにすることができる。また、同じ日時に作成されたコンテンツであっても、撮影領域、すなわち教室が異なる授業で作成されたコンテンツは共有できないようにすることができる。
【０１３０】
以上のように、第１の実施の形態にかかるコンテンツ管理装置においては、コンテンツを撮影した地点の位置情報がメタ情報として対応づけられたコンテンツをクライアント装置から受信し、受信したコンテンツからメタ情報を取得してコンテンツと対応づけて記憶することができる。また、記憶したコンテンツを、メタ情報を検索キーとして検索し、クライアント装置に配信することができる。その際、メタ情報の撮影日時、撮影領域の情報を用いて、配信の可否を判断して適切にコンテンツを共有することができる。
【０１３１】
（第２の実施の形態）
第２の実施の形態にかかるコンテンツ管理装置は、コンテンツを撮影した地点の位置情報に加え、撮影方向、および撮影した地点から撮影対象までの距離をメタ情報として対応づけられたコンテンツをクライアント装置から受信し、受信したコンテンツからメタ情報を取得してコンテンツと対応づけて記憶するものである。また、記憶したコンテンツを、メタ情報を検索キーとして検索し、クライアント装置に配信するものである。
【０１３２】
図１０は、本発明の第２の実施の形態にかかるコンテンツ管理装置１０００を含むコンテンツ管理システムの構成を示す説明図である。同図に示すように、コンテンツ管理装置１０００は、認証部１０１と、表示制御部１０２と、受信部１０３と、メタ情報取得部１００４と、検索部１０５と、配信部１０６と、領域特定部１００７と、記憶制御部１０８と、メタ情報検証部１０９と、コンテンツ記憶部１１１と、メタ情報管理部１０１２と、位置情報記憶部１１３とを備えている。
【０１３３】
第２の実施の形態におけるコンテンツ管理装置１０００は、メタ情報取得部１００４、領域特定部１００７の機能と、メタ情報管理部１０１２のデータ構造とが、第１の実施の形態におけるコンテンツ管理装置１００と異なっている。その他の構成および機能は、第１の実施の形態にかかる構成を表すブロック図である図１と同様であるので、同一符号を付し、ここでの説明は省略する。
【０１３４】
また、同図の右側に示すように、撮像装置１０４０は、撮像部１４１と、位置情報取得部１４２と、撮影方向検出部１０４３と、距離検出部１０４４と、コンテンツ記憶制御部１０４５と、送信部１４６と、コンテンツ保存部１４７とを備えている。
【０１３５】
第２の実施の形態における撮像装置１０４０は、撮影方向検出部１０４３と、距離検出部１０４４とを追加したこと、および、コンテンツ記憶制御部１０４５の機能が、第１の実施の形態における撮像装置１４０と異なっている。その他の構成および機能は、第１の実施の形態にかかる構成を表すブロック図である図１と同様であるので、同一符号を付し、ここでの説明は省略する。
【０１３６】
撮影方向検出部１０４３は、撮像装置１０４０が撮影を行っている方向を検出するものであり、例えば、ジャイロ機構などの一般的に用いられているあらゆる方向検出方法を適用することができる。
【０１３７】
距離検出部１０４４は、撮影している地点から、撮影対象までの距離を検出するものであり、例えば、レーザー光や赤外線の反射を利用した距離センサーなどの一般的に用いられているあらゆる距離検出方法を適用することができる。
【０１３８】
コンテンツ記憶制御部１０４５は、撮像部１４１が撮影したコンテンツに、撮影日時や位置情報取得部１４２が取得した位置情報とともに、撮影方向検出部１０４３が検出した撮影方向の情報、および距離検出部１０４４が検出した撮影対象までの距離の情報をメタ情報として付加するものである。また、コンテンツ記憶制御部１０４５は、付加したメタ情報の改ざんチェックを行うための情報を埋め込んで、コンテンツ保存部１４７に保存するものである。
【０１３９】
メタ情報取得部１００４は、受信部１０３により受信されたコンテンツに付加されている撮影日時、撮影した地点の緯度・経度、撮影方向、撮影対象までの距離をメタ情報として取得するものである。
【０１４０】
領域特定部１００７は、メタ情報取得部１００４が取得した緯度・経度、撮影方向、撮影対象までの距離と、位置情報記憶部１１３とを用いて撮影対象が存在する領域を撮影領域として特定するものである。このように、第１の実施の形態における領域特定部１０７では、撮影した地点が含まれる領域を特定していたのに対し、第２の実施の形態における領域特定部１００７は、撮影した地点と撮影方向と撮影対象までの距離とを用いて、撮影対象が存在する領域を特定することができる。
【０１４１】
メタ情報管理部１０１２は、メタ情報取得部１００４が取得したメタ情報を、そのメタ情報の取得元となったコンテンツの識別情報と対応づけて保存するものである。
【０１４２】
図１１は、メタ情報管理部１０１２のデータ構造の一例を示す説明図である。同図に示すように、メタ情報管理部１０１２は、コンテンツ記憶部１１１に記憶されたコンテンツを一意に識別するためのコンテンツＵＲＩと、コンテンツの撮影日時と、コンテンツを撮影した地点の緯度および経度と、コンテンツの撮影地点を含む領域の名称と、撮影方向と、撮影対象までの距離と、撮影対象が存在する領域の名称とを対応付けて格納している。
【０１４３】
このように、第２の実施の形態におけるメタ情報管理部１０１２は、撮影方向と、撮影対象までの距離と、撮影対象が存在する領域の名称とをさらに格納していることが、第１の実施の形態におけるメタ情報管理部１１２と異なっている。なお、コンテンツの撮影地点を含む領域は、撮影地点の緯度・経度を含む領域として特定することができる。撮影対象が存在する領域は、撮影地点の緯度・経度と、撮影方向および撮影対象までの距離から撮影対象の緯度・経度を算出した後、算出した緯度・経度を含む領域として特定することができる。
【０１４４】
例えば、緯度が「３４度４３分０５．１秒」、経度が「１３５度２１分５１．８秒」である撮影地点「春日高校」から、７３°の方向に３０ｍ先の撮影対象を撮影し、撮影対象の緯度・経度が「３４度４３分０６．０秒」、経度が「１３５度２１分５３．０秒」と算出されたとすると、図３に示すような位置情報記憶部１１３のデータから、撮影対象が存在する領域は「東京ドーム」であると特定することができる。
【０１４５】
次に、このように構成された第２の実施の形態にかかる撮像装置１０４０によるコンテンツ撮影・送信処理について説明する。図１２は、第２の実施の形態におけるコンテンツ撮影・送信処理の全体の流れを示すフローチャートである。
【０１４６】
ステップＳ１２０１からステップＳ１２０２までの撮影処理、位置情報取得処理は、第１の実施の形態におけるフローチャートである図４のステップＳ４０１からステップＳ４０２までと同様の処理なので、その説明を省略する。
【０１４７】
位置情報取得部１４２が、撮影地点の位置情報を取得した後、撮影方向検出部１０４３が、撮像装置１０４０が撮影している方向を検出し（ステップＳ１２０３）、距離検出部１０４４が、撮影地点から撮影対象までの距離を検出する（ステップＳ１２０４）。
【０１４８】
次に、コンテンツ記憶制御部１０４５が、撮影したコンテンツに、位置情報、撮影方向、撮影対象までの距離、および電子透かしを付加してコンテンツ保存部１４７に記憶する（ステップＳ１２０５）。最後に、送信部１４６が、コンテンツ保存部１４７内に記憶されたコンテンツを、コンテンツ管理装置１０００に送信して（ステップＳ１２０６）、コンテンツ撮影・送信処理を終了する。
【０１４９】
次に、このように構成された第２の実施の形態にかかるコンテンツ管理装置１０００によるコンテンツ受信・登録処理について説明する。図１３は、第２の実施の形態におけるコンテンツ受信・登録処理の全体の流れを示すフローチャートである。
【０１５０】
まず、受信部１０３が、撮像装置１０４０が送信したコンテンツを受信する（ステップＳ１３０１）。次に、メタ情報取得部１００４が、受信部１０３により受信されたコンテンツから撮影日時、撮影した地点の緯度・経度、撮影方向、撮影対象までの距離をメタ情報として取得する（ステップＳ１３０２）。
【０１５１】
次に、領域特定部１００７が、位置情報記憶部１１３を参照してメタ情報に含まれる撮影地点の緯度・経度、撮影方向、撮影対象までの距離から撮影対象の緯度・経度を算出し、算出した緯度・経度に対応する領域の名称を取得し、それを撮影領域として特定する（ステップＳ１３０３）。例えば、コンテンツに付加されているメタ情報の緯度が「３４度４３分０５．１秒」、経度が「１３５度２１分５１．８秒」、撮影方向が７３°、撮影対象までの距離が３０ｍであったとすると、上述したように撮影領域として「東京ドーム」が特定される。
【０１５２】
なお、このようにして特定された撮影領域は、撮影対象が存在する領域の名称として、メタ情報管理部１０１２に保存される。また、撮影地点を含む領域も、第１の実施の形態と同様に、位置情報記憶部１１３を参照して特定され、撮影地点を含む領域の名称として、メタ情報管理部１０１２に保存される。
【０１５３】
このように、第２の実施の形態においては、撮影地点の緯度・経度だけでなく、撮影方向および撮影対象までの距離を取得することができるため、撮影対象が実際に存在する領域を撮影領域として特定することができる。
【０１５４】
図１４は、第２の実施の形態における領域特定方法の一例を示した説明図である。同図においては、×印の撮影地点１４０２、１４０３において、●印で示す撮影対象１４０４、１４０５の撮影がなされたことを示している。また、撮影方向は矢印により示されている。
【０１５５】
領域１４０１の外部に存在する撮影地点１４０２から、領域１４０１の内部に存在する撮影対象１４０４を撮影した場合であっても、撮影方向と撮影対象までの距離とが判明しているため、撮影領域は領域１４０１であると正しく判断することができる。
【０１５６】
一方、領域１４０１の内部に存在する撮影地点１４０３から、領域１４０１の外部に存在する撮影対象１４０５を撮影した場合であっても、撮影方向と撮影対象までの距離とが判明しているため、撮影領域が領域１４０１であると誤って判断することはない。
【０１５７】
なお、距離を検出しない、すなわち、距離検出部１０４４を含まないように撮像装置１０４０を構成してもよい。その場合、撮影地点の緯度・経度から、撮影方向に向かって予め定められた距離に存在する領域を、撮影領域として特定する。複数の領域が存在する場合は、そのすべてを撮影領域として特定するように構成してもよい。
【０１５８】
図１５は、このような構成における領域特定方法の一例を示した説明図である。同図においては、×印の撮影地点１５０２において、●印で示す撮影対象１５０３または１５０４の撮影がなされたことを示している。また、撮影方向は矢印により示されている。
【０１５９】
同図において、予め定められた距離の範囲が円１５０５で表される場合は、撮影方向に向かって予め定められた距離に存在する領域として領域１５０１が含まれるため、領域１５０１が撮影領域として特定される。したがって撮影対象１５０３を撮影していた場合でも、撮影領域は撮影対象１５０３が含まれる領域１５０１であると正しく判断することができる。
【０１６０】
一方、撮影方向に向かって予め定められた距離に存在する領域としては、撮影地点１５０２が含まれる領域１５０６も対象となるため、この領域も撮影領域として特定してもよい。このようにすれば、実際の撮影対象が、撮影対象１５０３と同一方向に存在する撮影対象１５０４であった場合でも、撮影領域を正しく判断することができる。
【０１６１】
ステップＳ１３０３において領域特定部１００７が撮影領域を特定した後、記憶制御部１０８が、受信部１０３により受信されたコンテンツをコンテンツ記憶部１１１に保存するとともに、メタ情報取得部１００４により取得されたメタ情報をメタ情報管理部１０１２に保存し（ステップＳ１３０４）、コンテンツ受信・登録処理を終了する。
【０１６２】
第２の実施の形態にかかるコンテンツ管理装置１０００におけるコンテンツ検索・配信処理は、第１の実施の形態にかかるコンテンツ管理装置１００と同様であるのでその説明を省略する。
【０１６３】
なお、第１の実施の形態においては、撮影領域とは撮影地点を含む領域を意味していたのに対し、第２の実施の形態においては、撮影対象が存在する領域を意味する点で異なることに注意する必要がある。すなわち、第１の実施の形態においては、撮影日時と撮影地点を含む領域が許可されたコンテンツであれば配信を行っていたが（ステップＳ７０７、ステップＳ７０８）、第２の実施の形態においては、撮影日時と撮影対象が存在する領域が許可されたコンテンツであれば配信を行うことになる。
【０１６４】
そこで、第２の実施の形態においても、撮影地点を含む領域が許可されたコンテンツであれば、その配信を行うように構成してもよい。すなわち、撮影日時と、撮影領域（撮影対象が存在する領域）または撮影地点を含む領域が許可されたコンテンツであれば配信を行うように構成してもよい。撮影対象が共通するコンテンツだけでなく、撮影対象が異なっていても、撮影地点が共通するコンテンツならば、共有する意味があるからである。
【０１６５】
以上のように、第２の実施の形態にかかるコンテンツ管理装置においては、コンテンツを撮影した地点の位置情報に加え、撮影方向、および撮影した地点から撮影対象までの距離がメタ情報として対応づけられたコンテンツをクライアント装置から受信し、受信したコンテンツからメタ情報を取得してコンテンツと対応づけて記憶することができる。また、記憶したコンテンツを、メタ情報を検索キーとして検索し、クライアント装置に配信することができる。その際、メタ情報の撮影日時、撮影領域または撮影地点の情報を用いて、配信の可否を判断して適切にコンテンツを共有することができる。
【０１６６】
図１６は、第１および第２の実施の形態にかかるコンテンツ管理装置のハードウェア構成を示す説明図である。同図に示すように、第１および第２の実施の形態のコンテンツ管理装置は、ＣＰＵ１６０１などの制御装置と、ＲＯＭ１６０２やＲＡＭ１６０３などの記憶装置と、通信Ｉ／Ｆ１６０４と、これら各部を接続するバス１６１０とを備えるほか、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【０１６７】
第１および第２の実施の形態のコンテンツ管理装置で実行されるコンテンツ管理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１６８】
また、第１および第２の実施の形態のコンテンツ管理装置で実行されるコンテンツ管理プログラムを、インターネット等のネットワークに接続されたコンピュータ上に格納し、ネットワーク経由でダウンロードさせることにより提供するように構成しても良い。また、第１および第２の実施の形態のコンテンツ管理装置で実行されるコンテンツ管理プログラムをインターネット等のネットワーク経由で提供または配布するように構成しても良い。
【０１６９】
また、第１および第２の実施の形態のコンテンツ管理プログラムを、ＲＯＭ等に予め組み込んで提供するように構成してもよい。
【０１７０】
第１および第２の実施の形態のコンテンツ管理装置で実行されるコンテンツ管理プログラムは、上述した各部（認証部、表示制御部、受信部、メタ情報取得部、検索部、配信部、領域特定部、記憶制御部、メタ情報検証部）を含むモジュール構成となっており、実際のハードウェアとしてはＣＰＵ（プロセッサ）が上記記憶媒体からコンテンツ管理プログラムを読み出して実行することにより上記各部が主記憶装置上にロードされ主記憶装置上に生成されるようになっている。
【産業上の利用可能性】
【０１７１】
以上のように、本発明にかかるコンテンツ管理装置、コンテンツ管理方法、およびコンテンツ管理プログラムは、ＧＰＳ機能などにより撮影地点の位置情報を取得してコンテンツに対応づけて保存できる撮像装置により撮影されたコンテンツを管理するコンテンツ管理装置に適している。
【図面の簡単な説明】
【０１７２】
【図１】第１の実施の形態にかかるコンテンツ管理装置を含むコンテンツ管理システムの構成を示す説明図である。
【図２】メタ情報管理部のデータ構造の一例を示す説明図である。
【図３】位置情報記憶部のデータ構造の一例を示す説明図である。
【図４】第１の実施の形態におけるコンテンツ撮影・送信処理の全体の流れを示すフローチャートである。
【図５】第１の実施の形態におけるコンテンツ受信・登録処理の全体の流れを示すフローチャートである。
【図６】第１の実施の形態における領域特定方法の一例を示した説明図である。
【図７】第１の実施の形態におけるコンテンツ検索・配信処理の全体の流れを示すフローチャートである。
【図８】コンテンツ検索画面の内容の一例を示す説明図である。
【図９】撮影領域指定画面の内容の一例を示す説明図である。
【図１０】第２の実施の形態にかかるコンテンツ管理装置を含むコンテンツ管理システムの構成を示す説明図である。
【図１１】メタ情報管理部のデータ構造の一例を示す説明図である。
【図１２】第２の実施の形態におけるコンテンツ撮影・送信処理の全体の流れを示すフローチャートである。
【図１３】第２の実施の形態におけるコンテンツ受信・登録処理の全体の流れを示すフローチャートである。
【図１４】第２の実施の形態における領域特定方法の一例を示した説明図である。
【図１５】第２の実施の形態における領域特定方法の一例を示した説明図である。
【図１６】第１および第２の実施の形態にかかるコンテンツ管理装置のハードウェア構成を示す説明図である。
【符号の説明】
【０１７３】
１００  コンテンツ管理装置
１０１  認証部
１０２  表示制御部
１０３  受信部
１０４  メタ情報取得部
１０５  検索部
１０６  配信部
１０７  領域特定部
１０８  記憶制御部
１０９  メタ情報検証部
１１１  コンテンツ記憶部
１１２  メタ情報管理部
１１３  位置情報記憶部
１２０  インターネット
１３０  クライアントＰＣ
１４０  撮像装置
１４１  撮像部
１４２  位置情報取得部
１４５  コンテンツ記憶制御部
１４６  送信部
１４７  コンテンツ保存部
６０１  領域
６０２、６０３、６０４  撮影地点
６０５、６０６、６０７  撮影対象
８００  コンテンツ検索画面
８０１  検索キーワード入力フィールド
８０２、８０３  撮影日時入力形式選択ボタン
８０４、８０５、８０６  撮影日時入力フィールド
８０７  撮影領域入力フィールド
８０８  地図から指定ボタン
８０９  検索ボタン
８１０  終了ボタン
９００  撮影領域指定画面
９０１  拡大ボタン
９０２  縮小ボタン
９０３  ボタン
９０４  キャンセルボタン
９０５  地図
９０６  ポインタ
１０００  コンテンツ管理装置
１００４  メタ情報取得部
１００７  領域特定部
１０１２  メタ情報管理部
１０４０  撮像装置
１０４３  撮影方向検出部
１０４４  距離検出部
１０４５  コンテンツ記憶制御部
１４０１  領域
１４０２、１４０３  撮影地点
１４０４、１４０５  撮影対象
１５０１  領域
１５０２  撮影地点
１５０３、１５０４  撮影対象
１５０５  円
１５０６  領域
１６０１  ＣＰＵ
１６０２  ＲＯＭ
１６０３  ＲＡＭ
１６０４  通信Ｉ／Ｆ
１６１０  バス
【図１】
2006252143.tif 000003
【図２】
2006252143.tif 000004
【図３】
2006252143.tif 000005
【図４】
2006252143.tif 000006
【図５】
2006252143.tif 000007
【図６】
2006252143.tif 000008
【図７】
2006252143.tif 000009
【図８】
2006252143.tif 000010
【図９】
2006252143.tif 000011
【図１０】
2006252143.tif 000012
【図１１】
2006252143.tif 000013
【図１２】
2006252143.tif 000014
【図１３】
2006252143.tif 000015
【図１４】
2006252143.tif 000016
【図１５】
2006252143.tif 000017
【図１６】
2006252143.tif 000018